(57)【要約】【課題】近年の住宅事情であっても故人を偲ぶきっかけを作り得る遺影写真データ配信システムを提供する。【解決手段】、葬儀社端末１と、運営者のサーバー１０と、遺影写真データを作成する作業端末２と、喪家の携帯端末と、がインターネット１００を介して接続された葬儀補助システムであって、遺影写真データをウェブページで閲覧可能にするアップロード手段と、遺影写真データに係る遺影写真Ｐと、遺影写真データのアップロード先のＵＲＬを二次元コード化した二次元コードＱと、を表示する電子書類を作成する電子書類作成手段と、プリンターを介して電子書類を紙に出力させ得るように電子書類を送信する送信出力制御手段と、紙に記載されたＵＲＬ又は二次元コードＱからウェブページにアクセスするアクセス手段と、を備える。【選択図】図２
2018183418.tif 000002
【特許請求の範囲】
【請求項１】
葬儀社端末と、運営者のサーバーと、遺影写真データを作成する作業端末と、喪家の携帯端末と、がインターネットを介して接続された葬儀補助システムであって、
前記遺影写真データをウェブページで閲覧可能にするアップロード手段と、
前記遺影写真データに係る遺影写真と、前記遺影写真データのアップロード先のＵＲＬ又は前記ＵＲＬを二次元コード化した二次元コードのうち少なくともいずれか一方と、を表示する電子書類を作成する電子書類作成手段と、
プリンターを介して前記電子書類を紙に出力させ得るように前記電子書類を送信する送信出力制御手段と、
前記紙に記載された前記ＵＲＬ又は前記二次元コードから前記ウェブページにアクセスするアクセス手段と、を備えることを特徴とする遺影写真データ配信システム。
【請求項２】
前記葬儀社端末は、前記遺影写真データをダウンロード可能な状態とするように要求する要求手段を備えることを特徴とする請求項１に記載の遺影写真データ配信システム。
【請求項３】
前記携帯端末から前記遺影写真データの元データを受け取る受取手段をさらに備えることを特徴とする請求項１又は２に記載の遺影写真データ配信システム。
【請求項４】
前記電子書類には前記遺影写真に係る故人名が表示されていることを特徴とする請求項１乃至３のうちいずれか一つに記載の遺影写真データ配信システム。
【請求項５】
前記ウェブページでの閲覧にアクセス期限を設けたことを特徴とする請求項１乃至４のうちいずれか一つに記載の遺影写真データ配信システム。
【発明の詳細な説明】
【技術分野】
【０００１】
本発明は、葬儀社端末と、運営者のサーバーと、遺影写真データを作成する作業端末と、喪家の携帯端末と、がインターネットを介して接続された遺影写真データ配信システムに関するものである。
【背景技術】
【０００２】
遺影写真は額に収められ、葬儀の際には祭壇の中央に飾られる（例えば、特許文献１参照）。
遺影写真を見ることで故人との思い出が蘇り、遺影写真は最期を飾る非常に重要なものである。
葬儀の後も、遺影写真は喪が開けるまでは自宅の祭壇に置かれ、また喪が開けてからも仏間の欄間に掛けておくことが一般的である。
【先行技術文献】
【特許文献】
【０００３】
【特許文献１】特開２０１５−７７２００号公報
【発明の概要】
【発明が解決しようとする課題】
【０００４】
しかしながら、近年の住宅事情を鑑みると、仏間や仏壇を置くスペースが無かったり、遺影写真を欄間に掛けておく家庭が少なくなってきたりと、状況が変化している。
また、広い住宅であっても仏間どころか和室すら設けない場合も少なくないという事情もある。
【０００５】
このような事情があるので、遺影写真を掲げている場合に比べて故人の写真を見ることは減っており、その結果、故人を偲ぶきっかけが無い又は少なくなっているという問題がある。
【０００６】
そこで、本発明の目的とするところは、近年の住宅事情であっても故人を偲ぶきっかけを作り得る遺影写真データ配信システムを提供することにある。
【課題を解決するための手段】
【０００７】
上記の目的を達成するために、本発明の請求項１に記載の遺影写真データ配信システムは、葬儀社端末（１）と、運営者のサーバー（１０）と、遺影写真データを作成する作業端末（２）と、喪家の携帯端末（３）と、がインターネット（１００）を介して接続された葬儀補助システムであって、前記遺影写真データをウェブページで閲覧可能にするアップロード手段と、前記遺影写真データに係る遺影写真（Ｐ）と、前記遺影写真データのアップロード先のＵＲＬ又は前記ＵＲＬを二次元コード化した二次元コード（Ｑ）のうち少なくともいずれか一方と、を表示する電子書類を作成する電子書類作成手段と、プリンターを介して前記電子書類を紙に出力させ得るように前記電子書類を送信する送信出力制御手段と、前記紙に記載された前記ＵＲＬ又は前記二次元コード（Ｑ）から前記ウェブページにアクセスするアクセス手段と、を備えることを特徴とする。
【０００８】
また、請求項２に記載の遺影写真データ配信システムは、前記葬儀社端末（１）は、前記遺影写真データをダウンロード可能な状態とするように要求する要求手段を備えることを特徴とする。
【０００９】
また、請求項３に記載の遺影写真データ配信システムは、前記携帯端末（３）から前記遺影写真データの元データを受け取る受取手段をさらに備えることを特徴とする。
【００１０】
また、請求項４に記載の遺影写真データ配信システムは、前記電子書類には前記遺影写真（Ｐ）に係る故人名が表示されていることを特徴とする。
【００１１】
また、請求項５に記載の遺影写真データ配信システムは、前記ウェブページでの閲覧にアクセス期限を設けたことを特徴とする。
【００１２】
ここで、上記括弧内の記号は、図面および後述する発明を実施するための形態に掲載された対応要素または対応事項を示す。
【発明の効果】
【００１３】
本発明の請求項１に記載の遺影写真データ配信システムによれば、遺影写真データをウェブページで閲覧可能にするアップロードし、紙に記載されたＵＲＬ又は二次元コードからウェブページにアクセスできるので、喪家の人達が携帯端末で遺影写真を見ることができる。つまり、ウェブページにアクセス後に遺影写真データをダウンロードすれば、遺影写真を表示させた携帯端末を簡易的な仏壇のようにもすることができたり、気軽に遺影写真を見たりできるので、近年の住宅事情であっても故人を偲ぶきっかけとなり得る。
また、電子書類を紙に出力して、それに基いてウェブページにアクセスするので、ＵＲＬや二次元コードの流出を防止でき、プライバシーを守ることができる。
【００１４】
また、請求項２に記載の遺影写真データ配信システムによれば、請求項１に記載の発明の作用効果に加え、葬儀社端末は、遺影写真データをダウンロード可能な状態とするように要求するので、その要求を出したときに既に遺影写真データがアップロードされている場合には、その要求に応じてその場で電子書類を印刷することができる。
【００１５】
また、請求項３に記載の遺影写真データ配信システムによれば、請求項１又は２に記載の発明の作用効果に加え、携帯端末から遺影写真データの元データを受け取る受取手段をさらに備えるので、葬儀社がすぐに元データを受け取れない場合や携帯端末に元データが保存されている場合に、スムーズに元データのやり取りが可能である。すなわち、葬儀では事前準備もできない中で短時間のうちに様々な準備をしなければならないが、本発明によると準備に掛かる時間を短縮できる。
【００１６】
また、請求項４に記載の遺影写真データ配信システムによれば、請求項１乃至３に記載の発明の作用効果に加え、電子書類には遺影写真に係る故人名が表示されているので、遺影写真及び故人名の両方を確認でき、電子書類を出力した紙を葬儀社から喪家への渡し間違いを防止可能である。
【００１７】
また、請求項５に記載の遺影写真データ配信システムによれば、請求項１乃至４に記載の発明の作用効果に加え、ウェブページでの閲覧にアクセス期限を設けたので、よりプライバシーを守ることができる。
【００１８】
なお、本発明の遺影写真データ配信システムのように、遺影写真データをウェブページにアップロードし、紙に記載されたＵＲＬ又は二次元コードからウェブページにアクセスする点は、上述した特許文献１には全く記載されていない。
【図面の簡単な説明】
【００１９】
【図１】本発明の第一実施形態に係る遺影写真データ配信システムの通信構成を示すブロック図である。
【図２】本発明の第一実施形態に係る遺影写真データ配信システムにおける処理を示すフローチャートである。
【図３】本発明の第一実施形態に係る遺影写真データ配信システムにおける遺影写真を示す図である。
【図４】本発明の第一実施形態に係る遺影写真データ配信システムにおけるＰＤＦを示す図である。
【図５】本発明の第一実施形態に係る遺影写真データ配信システムにおける携帯端末で遺影写真を表示した状態を示す図である。
【図６】本発明の第二実施形態に係る遺影写真データ配信システムにおける処理を示すフローチャートである。
【発明を実施するための形態】
【００２０】
（第一実施形態）
図１乃至図５を参照して、本発明の第一実施形態に係る遺影写真データ配信システムを説明する。
この遺影写真データ配信システムは、葬儀社端末１と、運営者のサーバー１０と、遺影写真データを作成する作業端末２と、喪家の携帯端末３と、がインターネット１００を介して接続されている。
【００２１】
葬儀社端末１１は、家庭や企業に広く普及している一般的なパソコンである。ウェブブラウザを使用してウェブページにアクセス可能であるとか、文書作成ソフトが動作可能であるという程度の性能を有していればよく、特に高速な処理が求められるものではない。
【００２２】
サーバー１０は、これもまた一般的なパソコンである。
本実施形態に係る遺影写真データ配信システムに係るプログラムがインストールされており、本実施形態では作業端末２から遺影写真データをサーバー１０にアップロードすることをトリガーとして、いくつかの制御がプログラムに沿って自動的に行われる。
【００２３】
作業端末２も一般的なパソコンである。
遺影写真Ｐとして使用することに適した写真のデータについて、背景を消す等の処理をこの作業端末２で行う。
そのように加工した後のデータを、ここでは遺影写真データと呼ぶ。
【００２４】
携帯端末３は、４Ｇ等のモバイル通信技術を用い、インターネット１００に接続可能なスマートフォンである。
携帯端末３は、喪家（喪主とその家族）がそれぞれ所有しているスマートフォンであり、複数存在する。本実施形態では一つの携帯端末３について説明する。
【００２５】
このように構成された遺影写真データ配信システムにおいて行われる制御について、図２に示すフローチャートを参照して説明する。
まず、作業端末２によって加工されてなる、図３に示すような遺影写真データをサーバー１０にアップロードし、ウェブページで閲覧可能にする（ステップＳ１０１（以下、「ステップ」という語を省略する））。
【００２６】
次に、サーバー１０は遺影写真データのアップロード先であるそのウェブページのＵＲＬを二次元コード化する（Ｓ１０２）。
【００２７】
次に、サーバー１０は、図４に示すように遺影写真データに係る遺影写真Ｐと、遺影写真データのアップロード先に係る二次元コードＱを表示するＰＤＦデータを作成し（Ｓ１０３）、そのＰＤＦデータを葬儀社端末１に送信する（Ｓ１０４）。
このＰＤＦデータには、遺影写真Ｐに係る故人名が表示されている。
また、ウェブページでの閲覧やダウンロードにはアクセス期限が設定されており、ＰＤＦデータにその期限も記されている。
【００２８】
次に、葬儀社端末１は受け取ったＰＤＦデータをプリンターを介して紙に出力させる（Ｓ１０５）。
【００２９】
この紙は葬儀社のスタッフから喪家（喪主）へ手渡しされる（図２における破線矢印参照）。
【００３０】
次に、紙に記載された二次元コードＱを喪家の携帯端末３で読み取って、専用のウェブページにアクセスする（Ｓ１０６）。
携帯端末３は一つに限られず、喪家（遺族）のそれぞれの携帯端末３からウェブページにアクセスするが、ここでは一つの携帯端末３について記載する。
【００３１】
そして、携帯端末３は遺影写真データをサーバー１０からダウンロードし（Ｓ１０７）、携帯端末３内に保存する。携帯端末３での遺影写真Ｐの表示は図５に示すようになる。
【００３２】
以上のように構成された遺影写真データ配信システムによれば、遺影写真データをウェブページで閲覧可能にするアップロードし、紙に記載された二次元コードＱからウェブページにアクセスできるので、喪家の人達が携帯端末３で遺影写真Ｐを見ることができる。
つまり、ウェブページにアクセス後に遺影写真データをダウンロードすれば、遺影写真Ｐを表示させた携帯端末３を簡易的な仏壇のようにもすることができたり、気軽に遺影写真Ｐを見たりできるので、近年の住宅事情であっても故人を偲ぶきっかけとなり得る。
また、ＰＤＦデータを紙に出力して、それに基いてウェブページにアクセスするので、ＵＲＬや二次元コードＱの流出を防止でき、プライバシーを守ることができる。
【００３３】
また、ＰＤＦデータには遺影写真Ｐに係る故人名が表示されているので、遺影写真Ｐ及び故人名の両方を確認でき、ＰＤＦデータを出力した紙を葬儀社から喪家への渡し間違いを防止可能である。
さらに、ウェブページでの閲覧にアクセス期限を設けたので、よりプライバシーを守ることができる。
【００３４】
（第二実施形態）
次に図６を参照して、本発明の第二実施形態に係る遺影写真データ配信システムを説明する。なお、第一実施形態と同一部分には同一符号を付した。
本実施形態の第一実施形態との違いは、葬儀社において遺影写真データ配信について端末の操作を行わないことであり、その他の構成要素に関しては第一実施形態と同一である。
【００３５】
つまり、葬儀社端末１はパソコンでなくてもよくプリンターだけであってもよい。
その場合における制御について説明する。
まず、作業端末２で遺影写真データをサーバー１０にアップロードし、ウェブページで閲覧可能にする（Ｓ１０１）。
【００３６】
次に、サーバー１０はウェブページのＵＲＬを二次元コード化する（Ｓ１０２）。
そして、サーバー１０は遺影写真Ｐと二次元コードＱを表示するＰＤＦデータを作成し（Ｓ１０３）、そのＰＤＦデータを作業端末２に送信する（Ｓ１０４）。
【００３７】
次に、作業端末２はＰＤＦデータを葬儀社端末１で紙に出力するように指示し（Ｓ１０８）、葬儀社においては誰も印刷作業をすることなく紙に出力される（Ｓ１０５）。
この紙は葬儀社のスタッフから喪家へ手渡しされ、二次元コードＱを携帯端末３から読み取ることでウェブページにアクセスし（Ｓ１０６）、携帯端末３は遺影写真データをサーバー１０からダウンロードする（Ｓ１０７）。
【００３８】
以上のように制御された遺影写真データ配信システムによれば、遺影写真Ｐがリモート出力されるので、葬儀社において手間が掛からず便利である。
【００３９】
なお、第一、第二実施形態において、作業端末２が遺影写真データをアップロードすることをトリガーとしたが、これに限られるものではなく、葬儀社端末１が、遺影写真データをダウンロード可能な状態とするように要求することをトリガーとしてもよい。
このようにすると、その要求を出したときに既に遺影写真データがアップロードされている場合には、その要求に応じてその場で電子書類を印刷することができる。
【００４０】
また、携帯端末３から遺影写真データの元データを受け取るようにしておいてもよい。そうすることで、葬儀社がすぐに元データを受け取れない場合や携帯端末３に元データが保存されている場合に、スムーズに元データのやり取りが可能である。すなわち、葬儀では事前準備もできない中で短時間のうちに様々な準備をしなければならないが、携帯端末３から元データを受け取れる仕組みがあれば準備に掛かる時間を短縮できる。
【００４１】
また、ＰＤＦデータには遺影写真Ｐに係る故人名を表示したが、これに限られるものではない。
さらに、遺影写真Ｐのウェブページでの閲覧にアクセス期限を設けたが、これに限られるものではない。
【００４２】
また、ＰＤＦファイルとしたが、これに限られるものではなく、他のフォーマットの電子書類であってもよい。
【符号の説明】
【００４３】
１      葬儀社端末
２      作業端末
３      携帯端末
１０      サーバー
１００      インターネット
Ｐ      遺影写真
Ｑ      二次元コード
【図１】
2018183418.tif 000003
【図２】
2018183418.tif 000004
【図３】
2018183418.tif 000005
【図４】
2018183418.tif 000006
【図５】
2018183418.tif 000007
【図６】
2018183418.tif 000008